(57)【要約】  【課題】  ＳＡＣＤに対して選曲操作を効率良く行える光ディスク再生装置を提供する。  【解決手段】  挿入された光ディスク１がＳＡＣＤであった場合に、ＳＡＣＤであることがＳＡＣＤ認識手段１１１により認識され、ディスク情報のマスターテキストがマスターテキスト取得手段１１２により取得される。その後、ディスク情報のトラックテキストが有るとトラックテキスト有無判定手段１１３により判定された場合に、トラックテキストがトラックテキスト取得手段１１４により取得される。メニュー画面表示要求が発生した時、トラックテキスト有無判定手段１１３によりトラックテキストが有ると判定された場合に、表示処理手段１１６は、表示部１３に、マスターテキストを用いてアルバム情報とアーティスト情報を表示させると共に、トラックテキストを用いて曲情報を表示させる。【選択図】      図１
2005166182.tif 000002
【特許請求の範囲】
【請求項１】
２重層から構成されるハイブリッド型のＳＡＣＤ（スーパー・オーディオ・コンパクト
・ディスク）に対しても再生することができる光ディスク再生装置において、挿入された
光ディスクがＳＡＣＤであった場合にＳＡＣＤであることを認識するＳＡＣＤ認識手段と
、前記ＳＡＣＤであると認識された後にディスク情報のマスターテキストを取得するマス
ターテキスト取得手段と、ディスク情報のトラックテキストの有無を判定するトラックテ
キスト有無判定手段と、前記トラックテキストが有ると判定された場合にトラックテキス
トを取得するトラックテキスト取得手段とを有するテキスト取得制御部を備えると共に、
メニュー画面表示要求が発生した時に前記トラックテキスト有無判定手段によりトラック
テキストが有ると判定された場合に前記マスターテキストを用いてアルバム情報とアーテ
ィスト情報を表示させると共に前記トラックテキストを用いて曲情報を表示させ、選曲し
た曲名をハイライト表示させる表示処理手段とを有する表示制御部を備えたシステムコン
トローラを具備したことを特徴とする光ディスク再生装置。
【請求項２】
２重層から構成されるハイブリッド型のＳＡＣＤ（スーパー・オーディオ・コンパクト
・ディスク）に対しても再生することができる光ディスク再生装置において、挿入された
光ディスクがＳＡＣＤであり、ディスク情報にトラックテキストが有る場合に、前記トラ
ックテキストを用いて曲情報を表示させるシステムコントローラを具備したことを特徴と
する光ディスク再生装置。
【請求項３】
前記システムコントローラは、挿入された光ディスクがＳＡＣＤであった場合にＳＡＣ
Ｄであることを認識するＳＡＣＤ認識手段と、前記ＳＡＣＤであると認識された後にディ
スク情報のトラックテキストの有無を判定するトラックテキスト有無判定手段と、前記ト
ラックテキストが有ると判定された場合にトラックテキストを取得するトラックテキスト
取得手段とを有するテキスト取得制御部を備えたことを特徴とする請求項２に記載の光デ
ィスク再生装置。
【請求項４】
前記システムコントローラは、メニュー画面表示要求が発生した時に前記トラックテキ
スト有無判定手段によりトラックテキストが有ると判定された場合に前記トラックテキス
トを用いて曲情報を表示させ、選曲した曲名をハイライト表示させる表示処理手段を有す
る表示制御部を備えたことを特徴とする請求項３に記載の光ディスク再生装置。
【請求項５】
前記システムコントローラは、ＳＡＣＤであると認識された後にディスク情報のマスタ
ーテキストを取得するマスターテキスト取得手段を有するテキスト取得制御部を備えたこ
とを特徴とする請求項３に記載の光ディスク再生装置。
【請求項６】
前記システムコントローラは、前記マスターテキストを用いてアルバム情報とアーティ
スト情報を表示させる表示処理手段を有する表示制御部を備えたことを特徴とする請求項
４に記載の光ディスク再生装置。
【発明の詳細な説明】
【技術分野】
【０００１】
本発明は、２重層から構成されるハイブリッド型のＳＡＣＤ（スーパー・オーディオ・
コンパクト・ディスク）に対しても再生することができる光ディスク再生装置に関する。
【背景技術】
【０００２】
近年、ＣＤよりも大容量の新たな光ディスクであるＤＶＤ（Digital Versatile Disc）
が普及してきている。このＤＶＤは、例えば直径１２ｃｍの光ディスクに従来のＣＤのト
ラックピッチ１．６μｍの半分の０．８μｍで情報を記録し、半導体レーザの波長をＣＤ
の７８０ｎｍから６３０ｎｍに変更し、更にＣＤで採用されたＥＦＭ(Eight to Fourteen
Modulation)変調方式に改良を加えて片面で約４Ｇバイト相当の高密度記録を実現させて
いる。また、最近普及しつつあるＳＡＣＤにおいては、記録層として２つの層（ＤＶＤ層
とＣＤ層の２枚重ねタイプや、ＤＶＤ層とＤＶＤ層の２枚重ねタイプ）を備えている。
【０００３】
ＳＡＣＤが、例えば、ＤＶＤ層とＣＤ層の２枚重ねタイプの光ディスクであった場合、
一方の層であるＣＤ層には例えば４４．１ＫＨｚでサンプリングされた１６ビットデジタ
ルオーディオ信号が記録され、他方の層であるＨＤ層には例えば２．８４２ＭＨｚでシグ
マΔ変調された１ビットデジタルオーディオ信号が記録される。そして、ＨＤ層は、２チ
ャンネルエリアとマルチチャンネルエリアとに区分されている。
【特許文献１】特開平９−１７１０１号公報
【特許文献２】特開２００１−３１２８８０号公報
【特許文献３】特開２００２−１５２６６５号公報
【発明の開示】
【発明が解決しようとする課題】
【０００４】
このようなＳＡＣＤに記録されている音楽を、従来の光ディスク再生装置で再生する場
合、ユーザは、リモコンや装置本体の操作部の例えばスキップキーを何回か押下して選曲
を行った後、再生キーを押下している。
【０００５】
しかしながら、ユーザがスキップキーの押下回数に対応して音楽の曲名を予め知ってい
る場合は、スキップキーを何回押下すれば、聴きたい音楽が再生できるかが分かるが、そ
のような事を予め知らなければ、聴きたい音楽がＳＡＣＤの何番目に記録されているかを
、ＳＡＣＤの購入時に添付されている曲メニュー表などを見て確かめなければならないの
で、従来の光ディスク再生装置では、選曲操作が面倒になり、使い勝手が劣っていた。
【０００６】
なお、特許文献１，２，３の従来技術では、ＳＡＣＤも再生することができる光ディス
ク再生装置においての選曲操作については開示されていないので、上記のような課題を解
決できるものではない。
【０００７】
本発明は、上記のような課題を解決するためになされたもので、ＳＡＣＤに対して選曲
操作を効率良く行える光ディスク再生装置を提供することを目的とする。
【課題を解決するための手段】
【０００８】
上記目的を達成するために、請求項１の発明は、２重層から構成されるハイブリッド型
のＳＡＣＤに対しても再生することができる光ディスク再生装置において、挿入された光
ディスクがＳＡＣＤであった場合にＳＡＣＤであることを認識するＳＡＣＤ認識手段と、
前記ＳＡＣＤであると認識された後にディスク情報のマスターテキストを取得するマスタ
ーテキスト取得手段と、ディスク情報のトラックテキストの有無を判定するトラックテキ
スト有無判定手段と、前記トラックテキストが有ると判定された場合にトラックテキスト
を取得するトラックテキスト取得手段とを有するテキスト取得制御部を備えると共に、メ
ニュー画面表示要求が発生した時に前記トラックテキスト有無判定手段によりトラックテ
キストが有ると判定された場合に前記マスターテキストを用いてアルバム情報とアーティ
スト情報を表示させると共に前記トラックテキストを用いて曲情報を表示させ、選曲した
曲名をハイライト表示させる表示処理手段とを有する表示制御部を備えたシステムコント
ローラを具備したことを特徴とする光ディスク再生装置を提供する。
【０００９】
この構成において、挿入された光ディスクがＳＡＣＤであった場合に、ＳＡＣＤである
ことがＳＡＣＤ認識手段により認識され、ディスク情報のマスターテキストがマスターテ
キスト取得手段により取得される。その後、ディスク情報のトラックテキストの有無がト
ラックテキスト有無判定手段により判定され、前記トラックテキストが有ると判定された
場合に、トラックテキストがトラックテキスト取得手段により取得される。
【００１０】
メニュー画面表示要求が発生した時に、前記トラックテキスト有無判定手段によりトラ
ックテキストが有ると判定された場合に、表示処理手段は、前記マスターテキストを用い
てアルバム情報とアーティスト情報を表示させると共に、前記トラックテキストを用いて
曲情報を表示させ、また、選曲した曲名をハイライト表示させる。これにより、表示部に
は、アルバム情報とアーティスト情報が表示されると共に、曲情報が表示され、また、選
曲した曲名がハイライト表示される。
【００１１】
この構成によれば、ＳＡＣＤに記録された音楽を再生する際に、表示部には、アルバム
情報とアーティスト情報が表示されると共に、曲情報が表示され、また、選曲した曲名が
ハイライト表示されるので、曲名を見ながら選曲できて、ＳＡＣＤに対して選曲操作を効
率良く行うことができ、使い勝手が向上する。
【００１２】
請求項２の発明は、２重層から構成されるハイブリッド型のＳＡＣＤに対しても再生す
ることができる光ディスク再生装置において、挿入された光ディスクがＳＡＣＤであり、
ディスク情報にトラックテキストが有る場合に、前記トラックテキストを用いて曲情報を
表示させるシステムコントローラを具備したことを特徴とする光ディスク再生装置を提供
する。
【００１３】
この構成において、挿入された光ディスクがＳＡＣＤであり、ディスク情報にトラック
テキストが有る場合に、前記トラックテキストを用いて曲情報が表示される。
【００１４】
この構成によれば、ＳＡＣＤに記録された音楽を再生する際に、表示部には、曲情報が
表示されるので、曲名を見ながら選曲できて、ＳＡＣＤに対して選曲操作を効率良く行う
ことができ、使い勝手が向上する。
【００１５】
請求項３の発明では、請求項２の発明において、システムコントローラは、挿入された
光ディスクがＳＡＣＤであった場合にＳＡＣＤであることを認識するＳＡＣＤ認識手段と
、前記ＳＡＣＤであると認識された後にディスク情報のトラックテキストの有無を判定す
るトラックテキスト有無判定手段と、前記トラックテキストが有ると判定された場合にト
ラックテキストを取得するトラックテキスト取得手段とを有するテキスト取得制御部を備
えたので、トラックテキストを用いて曲情報の表示が可能になる。
【００１６】
請求項４の発明では、請求項３の発明において、システムコントローラは、メニュー画
面表示要求が発生した時に前記トラックテキスト有無判定手段によりトラックテキストが
有ると判定された場合に前記トラックテキストを用いて曲情報を表示させ、選曲した曲名
をハイライト表示させる表示処理手段を有する表示制御部を備えたので、曲情報を表示す
ることができ、選曲操作が容易になる。
【００１７】
請求項５の発明では、請求項３の発明において、システムコントローラは、ＳＡＣＤで
あると認識された後に、ディスク情報のマスターテキストを取得するマスターテキスト取
得手段を有するテキスト取得制御部を備えたので、マスターテキストを用いてアルバム情
報とアーティスト情報を表示することが可能になる。
【００１８】
請求項６の発明では、請求項４の発明において、システムコントローラは、前記マスタ
ーテキストを用いてアルバム情報とアーティスト情報を表示させる表示処理手段を有する
表示制御部を備えたので、アルバム情報とアーティスト情報を表示することができ、選曲
した曲が入っているアルバム名とアーティスト名も一目で知ることができる。
【発明の効果】
【００１９】
以上のように本発明によれば、２重層から構成されるハイブリッド型のＳＡＣＤに対し
ても再生することができる光ディスク再生装置において、挿入された光ディスクがＳＡＣ
Ｄであった場合にＳＡＣＤであることを認識するＳＡＣＤ認識手段と、前記ＳＡＣＤであ
ると認識された後にディスク情報のマスターテキストを取得するマスターテキスト取得手
段と、ディスク情報のトラックテキストの有無を判定するトラックテキスト有無判定手段
と、前記トラックテキストが有ると判定された場合にトラックテキストを取得するトラッ
クテキスト取得手段とを有するテキスト取得制御部を備えると共に、メニュー画面表示要
求が発生した時に前記トラックテキスト有無判定手段によりトラックテキストが有ると判
定された場合に前記マスターテキストを用いてアルバム情報とアーティスト情報を表示さ
せると共に前記トラックテキストを用いて曲情報を表示させ、選曲した曲名をハイライト
表示させる表示処理手段とを有する表示制御部を備えたシステムコントローラを具備した
ので、ＳＡＣＤに記録された音楽を再生する際に、表示部には、アルバム情報とアーティ
スト情報が表示されると共に、曲情報が表示され、また、選曲した曲名がハイライト表示
され、これにより、曲名を見ながら選曲できて、ＳＡＣＤに対して選曲操作を効率良く行
うことができ、使い勝手が向上する。
【００２０】
また、本発明によれば、２重層から構成されるハイブリッド型のＳＡＣＤに対しても再
生することができる光ディスク再生装置において、挿入された光ディスクがＳＡＣＤであ
り、ディスク情報にトラックテキストが有る場合に、前記トラックテキストを用いて曲情
報を表示させるシステムコントローラを具備したので、ＳＡＣＤに記録された音楽を再生
する際に、表示部には、曲情報が表示され、これにより、曲名を見ながら選曲できて、Ｓ
ＡＣＤに対して選曲操作を効率良く行うことができ、使い勝手が向上する。
【発明を実施するための最良の形態】
【００２１】
以下、添付図面を参照しつつ、本発明の実施の形態について説明する。図１は本発明の
一実施形態に係る光ディスク再生装置の構成を示すブロック図である。
【００２２】
この光ディスク再生装置は、光ピックアップ３、ＲＦアンプ４、エラー訂正／デコーダ
回路７、メモリコントローラ８、バッファメモリ９、Ｄ／Ａ変換回路１０、システムコン
トローラ１１、サーボ回路５、駆動回路６、スピンドルモータ２、操作部１２、および表
示部１３を備えている。
【００２３】
光ピックアップ３は、図示しない対物レンズ、２軸機構、半導体レーザ、および前記半
導体レーザの出射光が光ディスク１の表面で反射して反射光を受光する受光部を含み構成
されている。光ディスク再生装置の図示しないターンテーブルに載置されている光ディス
ク１がハイブリッド構成を有するＳＡＣＤの場合、光ピックアップ３は、例えばＣＤ層の
エリアを再生するときには、７８０ｎｍの波長を出射する半導体レーザが用いられ、ＨＤ
層を再生する場合は６８０ｎｍの短波長の半導体レーザが用いられるように光路を切り換
える。
【００２４】
また、光ピックアップ３には、図示しない２つの対物レンズが備えられ、ＣＤ層のエリ
アを再生する場合には開口率０．４５のレンズが用いられ、ＨＤ層のエリアを再生する場
合は開口率０．６のレンズが用いられるように、光路を切り換える。光ディスク再生装置
に装填された光ディスク１がＣＤの場合は、ハイブリッド型の光ディスクであるＳＡＣＤ
のＣＤ層のエリアを再生する場合と同様となる。
【００２５】
なお、ホログラム一体型非球面レンズを用いれば、上述したような光ピックアップ３内
部に２つの対物レンズを設ける必要が無く、１つのレンズで半導体レーザの光路を切り換
えるのみで構成できるので、このような構成を有する光ピックアップを用いても良い。
【００２６】
光ピックアップ３の２軸機構には、対物レンズを光ディスク１に接離する方向に駆動す
るフォーカス用コイル（図示せず）と、前記対物レンズを光ディスク１の半径方向に駆動
するトラッキング用コイル（図示せず）とが形成されている。また、この光ディスク再生
装置には、光ピックアップ３全体を光ディスク１の半径方向に大きく移動させるスレッド
モータ（図示せず）が備えられている。
【００２７】
光ピックアップ３内の受光部にて検知した反射光はＲＦアンプ４に供給され、このＲＦ
アンプ４での電流／電圧変換、マトリクス演算処理により、フォーカスエラー信号および
トラッキングエラー信号が生成されると共に再生情報としてのＲＦ信号が生成される。
【００２８】
前記生成されたフォーカスエラー信号およびトラッキングエラー信号は、サーボ回路５
にて位相補償、利得調整をされた後に駆動回路６を介してフォーカス用コイルとトラッキ
ング用コイルとに印加される。更に、トラッキングエラー信号はサーボ回路５内のローパ
スフィルタを介することによりスレッドエラー信号を生成し、このスレッドエラー信号は
駆動回路６を介して図示しないスレッドモータに印加される。
【００２９】
更に、ＲＦアンプ４にて生成されたＲＦ信号は、載置されている光ディスク１がＣＤの
場合は、エラー訂正／デコーダ回路７において、２値化してＥＦＭ復調を行うと共にＣＩ
ＲＣ（Cross Interleave Read solomon Coding）によるエラー訂正処理を行った後にメモ
リコントローラ８に入力される。
【００３０】
一方、ターンテーブルに載置されている光ディスク１がハイブリッド型の光ディスクで
あるＳＡＣＤの場合において、ＣＤ層のエリアを再生する場合には、ＣＤの場合と同様に
エラー訂正／デコーダ回路７において、２値化、ＥＦＭ復調、ＣＩＲＣエラー訂正処理が
行われてメモリコントローラ８に供給される。
【００３１】
ハイブリッド型の光ディスクであるＳＡＣＤのＨＤ層のエリアを再生する場合には、エ
ラー訂正／デコーダ回路７において２値化してＥＦＭ−Ｐｌｕｓ復調を行うと共に積符号
（product code）に基づくエラー訂正処理が行われることになる。
【００３２】
また、エラー訂正／デコーダ回路７では、２値化したＥＦＭ信号もしくはＥＦＭプラス
信号の基準クロックとの比較により速度エラー信号および位相エラー信号を生成して駆動
回路６に供給することで光ディスク１をスピンドルモータ２にて回転制御する。更に、エ
ラー訂正／デコーダ回路７では、２値化したＥＦＭ信号またはＥＦＭプラス信号に基づい
てＰＬＬ（Phase Locked Loop ）の引き込み動作を制御する。
【００３３】
エラー訂正後の２値化データは、メモリコントローラ８を介して所定の転送レートでバ
ッファメモリ９に書き込まれる。バッファメモリ９に所定量以上のデータが蓄積されたら
バッファメモリ９から書き込みの転送レートより十分遅い第２の転送レートにて読み出し
を行う。このようにバッファメモリ９に一旦データを蓄えてからオーディオデータとして
出力するようにしたので、例えば、振動などの外乱によってトラックジャンプが生じて光
ピックアップ３からの連続したデータ読み出しが途絶えたとしても、光ピックアップ３の
トラックジャンプが発生したアドレスへの再配置に要する時間に相当するデータは予めバ
ッファメモリ９に蓄積されているので、オーディオ出力としては連続したオーディオデー
タ出力が実現できる。
【００３４】
なお、メモリコントローラ８は、システムコントローラ１１によって制御されている。
メモリコントローラ８によって、バッファメモリ９から読み出されたデジタルデータはＤ
／Ａコンバータ１０にてアナログオーディオ信号に変換され、右チャンネル音声出力と左
チャンネル音声出力として出力される。
【００３５】
システムコントローラ１１は、操作部１２の各種操作キーの操作に応じて各種サーボ用
のコマンドをサーボ回路５に転送したり、メモリコントローラ８に対してバッファメモリ
９の制御の指令を与えたり、演奏経過時間や再生しているプログラムのタイトルなどの文
字情報、あるいはアルバム情報、アーティスト情報、曲情報などを表示部１３に表示する
ように制御を行ったり、エラー訂正／デコーダ回路７でのスピンドルサーボ制御やデコー
ダ制御を行ったりする。
【００３６】
本実施形態におけるシステムコントローラ１１は、フロントエンド１１０を備え、この
フロントエンド１１０は、挿入された光ディスクがＳＡＣＤであった場合にＳＡＣＤであ
ることを認識するＳＡＣＤ認識手段１１１と、前記ＳＡＣＤであると認識された後にディ
スク情報のマスターテキストを取得するマスターテキスト取得手段１１２と、ディスク情
報のトラックテキストの有無を判定するトラックテキスト有無判定手段１１３と、前記ト
ラックテキストが有ると判定された場合にトラックテキストを取得するトラックテキスト
取得手段１１４とを有するテキスト取得制御部１１５を備えている。
【００３７】
また、システムコントローラ１１は、メニュー画面表示要求が発生した時に、前記トラ
ックテキスト有無判定手段１１３によりトラックテキストが有ると判定された場合に、前
記マスターテキストを用いてアルバム情報とアーティスト情報を表示させると共に、前記
トラックテキストを用いて曲情報を表示させ、選曲した曲名をハイライト表示させる表示
処理手段１１６とを有する表示制御部１１７を備えている。
【００３８】
図２はＳＡＣＤにおけるディスクエリア２０の構造を示す図である。このディスクエリ
ア２０は、ファイルシステムエリア２１、ＤＴＣＰ（ディスク製造者情報）エリア２２、
マスターＴＯＣ（Table Of Contents）エリア２３、２チャンネルエリア２４、マルチチ
ャンネルエリア２５、およびエクストラデータエリア２６などから構成される。マスター
ＴＯＣエリア２３には、ディスク全体の情報、例えば、２チャンネルのスタートアドレス
、マルチチャンネルのスタートアドレス、その他の情報が書かれている。マスターＴＯＣ
エリア２３のマスターＴＯＣから得られた２チャンネルのスタートアドレスからオーディ
オエリア３０（図３参照）に飛び、例えば５４４セクタ目にＴＯＣ−１エリア３１、トラ
ックエリア３２、ＴＯＣ−２エリア３３などがある。
【００３９】
図３は図２中の例えば２チャンネルエリア２４内のオーディオエリアの構造を示す図で
ある。このオーディオエリア３０は、前述したように例えば５４４セクタ目からのＴＯＣ
−１エリア３１、トラックエリア３２、およびＴＯＣ−２エリア３３などから構成される
。
【００４０】
図４は図３中の例えばＴＯＣ−１エリア３１内のＴＯＣエリアの構造を示す図である。
このＴＯＣエリア４０は、ＴＯＣ＿０のエリア４１、Ｔｒａｃｋ＿Ｌｉｓｔ＿１のエリア
４２、Ｔｒａｃｋ＿Ｌｉｓｔ＿２のエリア４３、ＩＳＲＣ＿ａｎｄ＿Ｇｅｎｒｅ＿Ｌｉｓ
ｔのエリア４４、アクセスリストのエリア４５、トラックテキストのエリア４６、インデ
ックスリストのエリア４７、およびトラックウェブリンクリストのエリア４８などから構
成される。
【００４１】
Ｔｒａｃｋ＿Ｌｉｓｔ＿１のエリア４２には、スタートアドレスやトラック内のデータ
の長さが書き込まれている。Ｔｒａｃｋ＿Ｌｉｓｔ＿２のエリア４３には、スタートアド
レスに対応する各トラックのスタート時間と各トラックの再生時間が書き込まれている。
ＩＳＲＣ＿ａｎｄ＿Ｇｅｎｒｅ＿Ｌｉｓｔのエリア４４には、ディスクの国コード、ディ
スクの記録日、ディスクのジャンルなどが書き込まれている。アクセスリストのエリア４
５には、時間情報をアドレス情報に変換するためのテーブルが書き込まれている。トラッ
クテキストのエリア４６には、トラック名などが書き込まれている。インデックスリスト
４７のエリア４７には、インデックス名などが書き込まれている。トラックウェブリンク
リストのエリア４８には、インターネットで当該トラックに取得できる情報のリストが書
き込まれる。
【００４２】
図５は図２中のマスターＴＯＣエリア２３の構造を示す図である。このマスターＴＯＣ
エリア２３は、マスターＴＯＣ１のエリア５１、マスターＴＯＣ２のエリア５２、および
マスターＴＯＣ５３のエリア５３などから構成される。このマスターＴＯＣエリア２３の
後には、オーディオエリア３０が設けられている。
【００４３】
図６は図５中の各マスターＴＯＣの構造を示す図である。このマスターＴＯＣのエリア
６０は、マスターＴＯＣ＿０のエリア６１、マスターテキスト〔１〕のエリア６２、マス
ターテキスト〔２〕のエリア６３、・・・，マスターテキスト〔８〕のエリア６４、Ｍａ
ｎｕｆ＿Ｉｎｆｏのエリア６５などから構成される。
【００４４】
エリア６１のマスターＴＯＣ＿０は当該マスターＴＯＣのヘッダを示す。エリア６２の
マスターテキスト〔１〕には、１番目に編集された音楽のアルバム情報およびアーティス
ト情報などが含まれる。また、エリア６３のマスターテキスト〔２〕には、２番目に編集
された音楽のアルバム情報およびアーティスト情報などが含まれる。更に、エリア６４の
マスターテキスト〔８〕には、８番目に編集された音楽のアルバム情報およびアーティス
ト情報などが含まれる。エリア６５のＭａｎｕｆ＿Ｉｎｆｏとは、ディスクの製造に関わ
るディスク特有の情報のことを示す。
【００４５】
図７は本実施形態におけるトラックテキストの構造を示す図である。図７において、Ｔ
ｒａｃｋ＿Ｔｅｘｔ＿Ｓｉｇｎａｔｕｒｅは、トラックテキスト（Ｔｒａｃｋ＿Ｔｅｘｔ
）のセクタを識別する８バイトの文字列である。Ｎ＿Ｔｅｘｔ．＿Ｃｈａｎｎｅｌｓは、
テキストの言語に対応したチャンネル数を示し、Ｎ＿Ｔｒａｃｋｓは、テキストが存在す
るトラック数を示す。Ｎ＿Ｔｅｘｔ．＿ＣｈａｎｎｅｌｓとＮ＿Ｔｒａｃｋｓの値は、Ａ
ｒｅａ＿ＤａｔａのＴｅｘｔ＿Ｃｈａｎｎｅｌｓ内でコード化される。Ｔｒａｃｋ＿Ｔｅ
ｘｔが存在する場合、最低一つのＴｅｘｔ＿Ｉｔｅｍを含んでいなければならない。
【００４６】
Ｔｒａｃｋ＿Ｔｅｘｔ＿Ｉｔｅｍ＿Ｐｔｒ〔ｃ〕〔ｔｎｏ〕は、言語に合わせたトラッ
ク名が書かれているアドレスを示す。Ｔｒａｃｋ＿Ｔｅｘｔ＿Ｉｔｅｍ＿Ｐｔｒ〔ｃ〕〔
ｔｎｏ〕は、Ｔｒａｃｋ＿Ｔｅｘｔの最初のバイトからＮ＿Ｉｔｅｍ〔ｃ〕〔ｔｎｏ〕ま
でバイト差を含んでいる。Ｔｅｘｔ＿Ｉｔｅｍが、テキストチャンネルｃおよびＴｒａｃ
ｋ〔ｔｎｏ〕の組み合わせに利用可能でない場合、Ｔｒａｃｋ＿Ｔｅｘｔ＿Ｉｔｅｍ＿Ｐ
ｔｒ〔ｃ〕〔ｔｎｏ〕は０にセットされる。最低限、１つのＴｅｘｔ＿Ｉｔｅｍが利用可
能な場合、Ｔｒａｃｋ＿Ｔｅｘｔの中の最初の０でないＴｒａｃｋ＿Ｔｅｘｔ＿Ｉｔｅｍ
＿Ｐｔｒは例えば値４０９６を持っている。
【００４７】
Ｔｒａｃｋ＿Ｔｅｘｔ＿Ｉｔｅｍ＿Ｐｔｒ〔ｃ〕〔ｔｎｏ〕に書かれているアドレスに
飛ぶと、飛び先は、Ｎ＿Ｉｔｅｍ〔ｃ〕〔ｔｎｏ〕になる。Ｎ＿Ｉｔｅｍｓ〔ｃ〕〔ｔｎ
ｏ〕は、テキストチャンネルｃ内のＴｒａｃｋ〔ｔｎｏ〕のための利用可能なテキストア
イテムの数を含んでいる。Ｎ＿Ｉｔｅｍｓの許される最小値は１であり、許される最大値
は１０である。Ｔｅｘｔ＿Ｉｔｅｍ〔ｃ〕〔ｔｎｏ〕〔ｉｔｅｍ〕は、テキストチャンネ
ルｃ内のＴｒａｃｋ〔ｔｎｏ〕のためのテキストアイテムを含んでおり、トラック名（曲
情報等）が書かれている。
【００４８】
図８は図７中のＴＯＣ＿Ｔｅｘｔの内容に基づいて表示されるＳＡＣＤメニューの画面
の一例を示す図である。この図８に示すように、メニュー画面には、例えば、アルバム名
として「Ｗｈｅｎ  Ｉ  ｌｏｏｋ  ｉｎ  ｙｏｕｒ  ｅｙｅｓ」、アーティスト名として
「Ｄｉａｎａ  Ｋｒａｌｌ」、曲名として「Ｌｅｔ’ｓ  Ｆａｃｅ  ｔｈｅ  Ｍｕｓｉｃ
ａｎｄ  Ｄａｎｃｅ」、「Ｄｅｖｉｌ  Ｍａｙ  Ｃａｒｅ」などが表示される。ここの
表示例では、「Ｌｅｔ’ｓ  Ｆａｃｅ  ｔｈｅ  Ｍｕｓｉｃ  ａｎｄ  Ｄａｎｃｅ」が選
曲され、この部分がハイライト表示されていることを示している。
【００４９】
図９は本実施形態におけるトラックテキスト取得処理を説明するためのフローチャート
である。このフローチャートおよび図１を参照してトラックテキスト取得処理を説明する
。
【００５０】
予めメモリ９に、トラックテキストの情報を保持するための例えば６５５３バイトの記
憶領域を、マスターテキストの情報を保持するための例えば１６３８４バイトの記憶領域
を、それぞれ確保しておく。光ディスク再生装置に挿入された光ディスク１がＳＡＣＤで
あった場合に、ＳＡＣＤであることがＳＡＣＤ認識手段１１１により認識され（ステップ
Ｓ１）、ディスク情報のマスターテキストがマスターテキスト取得手段１１２により取得
される（ステップＳ２）。
【００５１】
その後、ディスク情報のトラックテキストがオーディオエリアに有るか否かがトラック
テキスト有無判定手段１１３により判定され（ステップＳ３）、前記トラックテキストが
有ると判定された場合に、トラックテキストがトラックテキスト取得手段１１４により取
得され、本処理は終了する（ステップＳ５）。なお、前記トラックテキストが無いと判定
された場合は（ステップＳ３）、本処理は終了する（ステップＳ５）。
【００５２】
図１０は本実施形態における曲情報表示処理を説明するためのフローチャートである。
このフローチャートおよび図１を参照して曲情報表示処理について説明する。
【００５３】
ユーザが光ディスク再生装置の操作部１２を操作してメニュー画面表示要求が発生し、
ＳＡＣＤメニュー画面表示処理が開始すると（ステップＳ１１）、ディスク情報のトラッ
クテキストが有るか否かがトラックテキスト有無判定手段１１３により判定される（ステ
ップＳ１２）。
【００５４】
トラックテキスト有無判定手段１１３によりトラックテキストが有ると判定された場合
に、表示処理手段１１６は、表示部１３に、図９のステップＳ２で取得したマスターテキ
ストを用いてアルバム情報とアーティスト情報を表示させると共に、図９のステップＳ４
で取得したトラックテキストを用いて曲情報を表示させる（ステップＳ１３）。
【００５５】
例えば、図８のＳＡＣＤメニュー画面に示すように、アルバム名（アルバム情報）、ア
ーティスト名（アーティスト情報）、曲名（曲情報）が表示され、ユーザが操作部１２の
選曲キーを押下して、「Ｌｅｔ’ｓ  Ｆａｃｅ  ｔｈｅ  Ｍｕｓｉｃ  ａｎｄ  Ｄａｎｃ
ｅ」が選曲されると、この部分がハイライト表示される。そして、ユーザが操作部１２の
プレイキーを押下すると、ハイライト表示された「Ｌｅｔ’ｓ  Ｆａｃｅ  ｔｈｅ  Ｍｕ
ｓｉｃ  ａｎｄ  Ｄａｎｃｅ」の曲の再生が開始される（ステップＳ１４）。また、次の
曲を選曲すると、ハイライト表示が移動し、次の曲名に対してハイライト表示が行われる
。
【００５６】
トラックテキストが無いと判定された場合は（ステップＳ１２）、ステップＳ１３のよ
うなＯＳＤ表示処理をせずに、通常のバックグランドのままとし（ステップＳ１５）、操
作部１２のプレイキーによる操作によって音楽の再生が開始する（ステップＳ１６）。こ
の場合、ＳＡＣＤメニュー画面が表示されないので、ユーザが曲メニュー表などを見て確
かめながら選曲操作を行う必要がある。
【００５７】
以上説明したように本実施形態によれば、ＳＡＣＤに記録された音楽を再生する際に、
表示部には、アルバム情報とアーティスト情報が表示されると共に、曲情報が表示され、
また、選曲した曲名がハイライト表示されるので、曲名を見ながら選曲できて、ＳＡＣＤ
に対して選曲操作を効率良く行うことができ、使い勝手が向上する。
【図面の簡単な説明】
【００５８】
【図１】本発明の一実施形態に係る光ディスク再生装置の構成を示すブロック図である。
【図２】前記実施形態においてＳＡＣＤにおけるディスクエリアの構造を示す図である。
【図３】図２中の例えば２チャンネルエリア内のオーディオエリアの構造を示す図である。
【図４】図３中の例えばＴＯＣ−１エリア内のＴＯＣエリアの構造を示す図である。
【図５】図２中のマスターＴＯＣエリアの構造を示す図である。
【図６】図５中の各マスターＴＯＣの構造を示す図である。
【図７】前記実施形態におけるトラックテキストの構造を示す図である。
【図８】図７中のＴＯＣ＿Ｔｅｘｔの内容に基づいて表示されるＳＡＣＤメニューの画面の一例を示す図である。
【図９】前記実施形態におけるトラックテキスト取得処理を説明するためのフローチャートである。
【図１０】前記実施形態における曲情報表示処理を説明するためのフローチャートである。
【符号の説明】
【００５９】
１    光ディスク
１１    システムコントローラ
１１１    ＳＡＣＤ認識手段
１１２    マスターテキスト取得手段
１１３    トラックテキスト有無判定手段
１１４    トラックテキスト取得手段
１１５    テキスト取得制御部
１１６    表示処理手段
１１７    表示制御部
【図１】
2005166182.tif 000003
【図２】
2005166182.tif 000004
【図３】
2005166182.tif 000005
【図４】
2005166182.tif 000006
【図５】
2005166182.tif 000007
【図６】
2005166182.tif 000008
【図７】
2005166182.tif 000009
【図８】
2005166182.tif 000010
【図９】
2005166182.tif 000011
【図１０】
2005166182.tif 000012